(57)【特許請求の範囲】
【請求項１】
内部に釣り具を収納して携行可能な釣用携行具において、
釣り具を収容可能な内部空間を形成する上下に長い本体と、
前記本体の下側に設けられるとともに、上側に向けて開口し、本体の外側面に沿わされる長尺物の端部を挿入可能な開口部を有し、この長尺物を下側から保持するポケットと、
前記本体の上側に設けられるとともに、前記ポケットに端部が挿入された長尺物をポケットの上側で緊締保持する緊締部材と、
前記ポケットと前記緊締部材との間で、前記本体の外側面の上下方向に沿って延びるとともに、ポケットと緊締部材とによって保持される長尺物が添接されることにより、長尺物のガタ付きを規制する添接部と、を備え、
この添接部は、添接部の上下方向に沿って延び且つ前記長尺物が収まる少なくとも１つの凹状の溝と、この凹状の溝の両側に隣接する凸部とから成ることを特徴とする釣用携行具。
【発明の詳細な説明】
【０００１】
【発明の属する技術分野】
本発明は、釣り具を収納して携行可能な釣用携行具に関する。
【０００２】
【従来の技術】
一般に、磯釣り等において、釣り人は、玉網やチャランボと呼ばれる棒状の釣具吊下げ具を持参して釣行する。したがって、釣り場を移動する場合においては、釣竿をロッドケース内に収納するだけでなく、玉網やチャランボを片付ける必要がある。この場合、玉網やチャランボをロッドケース内に収納できない場合には、これらの釣具吊下げ具を分解したり、ロッドケースとは別に保持しなければならない。
【０００３】
しかし、釣り場の移動の度に、使用していた釣竿や釣具吊下げ具を分解して片付けていたのでは、目的の釣り場に到着した際に迅速に釣りを再開することができない。だからといって、リールが装着されたままの状態の釣竿や釣具吊下げ具をロッドケース内に一緒に収納してしまうと、これらが相互にぶつかり合って破損してしまう虞がある。そのため、使用していた釣具吊下げ具等を緊締部材（ベルト）によって外側面に保持できるようにしたロッドケースが実開平６−３１４７０号公報に開示されている。
【０００４】
【発明が解決しようとする課題】
しかし、ベルトによって釣具吊下げ具等の長尺物をロッドケースの外側面に保持しただけでは、保持されている長尺物が、移動中に左右にグラ付いたり、他の障害物に引っ掛かったり、あるいは、ベルトからすり抜けてしまうといった問題が生じる。
【０００５】
また、保持されている長尺物は、その全体が殆ど露出した状態となっているため、傷付き易い。特に、磯等に渡船する時には、ロッドケースごと投げ渡すこともあるため、長尺物がグラ付いていたり、露出していたりすると、受け損なったり、怪我の原因となる虞がある。
【０００６】
本発明は前記事情に着目してなされたものであり、その目的とするところは、外側面に保持される収納物がグラ付いたり障害物に引っ掛かったり傷付いたりすることを防止できる釣用携行具を提供することにある。
【０００７】
【課題を解決するための手段】
前記課題を解決するために、本発明は、内部に釣り具を収納して携行可能な釣用携行具において、釣り具を収容可能な内部空間を形成する上下に長い本体と、前記本体の下側に設けられるとともに、上側に向けて開口し、本体の外側面に沿わされる長尺物の端部を挿入可能な開口部を有し、この長尺物を下側から保持するポケットと、前記本体の上側に設けられるとともに、前記ポケットに端部が挿入された長尺物をポケットの上側で緊締保持する緊締部材と、前記ポケットと前記緊締部材との間で、前記本体の外側面の上下方向に沿って延びるとともに、ポケットと緊締部材とによって保持される長尺物が添接されることにより、長尺物のガタ付きを規制する添接部と、を備え、この添接部は、添接部の上下方向に沿って延び且つ前記長尺物が収まる少なくとも１つの凹状の溝と、この凹状の溝の両側に隣接する凸部とから成ることを特徴とする。
【０００８】
【発明の実施の形態】
以下、図面を参照しつつ本発明の一実施形態について説明する。
【０００９】
図１および図２に示されるように、本発明の一実施形態に係る釣用携行具１は、内部に釣竿等を収容できる大きな収容空間を形成する長尺なケース本体２を備えている。ケース本体２は、帆布や合成繊維から成る織布等の布地、あるいは、合成皮革等によって形成されており、付設されたファスナ１１を開閉することによって内部の収容空間を外部に対して開閉できる。また、ケース本体２は、リール等を収容できる小さな収容空間を形成する補助収納部９を有している。この補助収納部９も、付設されたファスナ１３を開閉することによって内部の収容空間を外部に対して開閉できる。なお、ケース本体２には、手で握ることができる（あるいは、肩から掛けることができる）握り部８が設けられている。
【００１０】
ケース本体２の下端部には、硬質な合成樹脂等によって形成されたボトムプロテクタ３が設けられている。ボトムプロテクタ３には、上側に向けて開口する開口部５を有する補助ポケット４が突設されている。この補助ポケット４は、玉網の柄、ピトン、チャランボ等の長尺物の端部を収容して（簡単に差し込み挿入して）下側から保持できる大きさ及び形状に形成されており、ＥＶＡ発泡シートのプレス加工または樹脂成型（立体成型）によって形成される。なお、補助ポケット４の底部付近に水が溜まらないように、補助ポケット４の底部に水抜き穴を設けても良い。
【００１１】
補助ポケット４に差し込まれた玉網の柄やチャランボ等の長尺物を補助ポケット４の上側で保持することができるように、ケース本体２の上部側面には、前記長尺物を保持するのに十分な長さのベルト（緊締部材）６が設けられている。
【００１２】
また、上側のベルト６と下側の補助ポケット４との間には、ケース本体２の長手方向（上下方向）に沿って延びる長尺なサイドパーツとしての添接部７が設けられている。この添接部７は、ＥＶＡ発泡シートのプレス加工または樹脂成型（ＥＶＡ、ＰＰ、ＡＢＳ、ＰＶＣ等の合成樹脂による立体成形加工）によって形成されており、上側のベルト６と下側の補助ポケット４との間の略全長にわたってケース本体２の外側面に例えば固着されている。また、添接部７は、ケース本体２から大きく突出しない所定の厚さ（少なくとも補助ポケット４よりも側方に突出しない厚さ）を有している。
【００１３】
図３に明確に示されるように、添接部７は、略中央部に位置する凹状の溝７ａと、この溝７ａの両側に隣接する凸部７ｂ，７ｃとを有している。溝７ａは、添接部７の全長にわたって連続的に形成されており、添接部７（ケース本体２）の前側方に向けて開口するとともに、添接部７の上端および下端で開口している。また、溝７ａは、図４に示されるように、補助ポケット４内に差し込まれてベルト６で緊締される長尺物２０を十分に収めることができる幅を有するとともに、溝７ａ内に収められた長尺物２０が溝７ａ内から著しく突出しない深さを有している。また、凸部７ｂ，７ｃは、溝７ａ内に収められた長尺物２０が左右に大きくガタ付かないように、左右両側から長尺物２０を保持することができるように突出している。これらの凸部７ｂ，７ｃも凹状の溝７ａと同様に添接部７の全長にわたって形成されている。
【００１４】
このような構成の釣用携行具１を用いて、玉網の柄、ピトン、チャランボ等の長尺物２０をケース本体２の外側面に保持する場合には、長尺物２０の端部を補助ポケット４内に差し込み挿入した後、補助ポケット４から上側に延びる長尺物２０の部位を添接部７に添接させるように添接部７の溝７ａ内に位置させるとともに、添接部７から上側に突出する長尺物２０の部位をベルト６によって緊締すれば良い。このような保持状態では、長尺物２０が添接部７の溝７ａ内に収まって、長尺物２０の左右へのガタ付きおよび露出が少なくなるとともに、溝７ａ内で長尺物２０が左右に大きくガタつこうとしても、そのようなガタ付きは、溝７ａ内の凸部７ｂ，７ｃによって規制される。
【００１５】
以上説明したように、本実施形態の釣用携行具１は、ケース本体２の外側面に沿わされる長尺物２０の端部を下側から保持する補助ポケット４と、補助ポケット４に端部が挿入された長尺物２０を補助ポケット４の上側で緊締保持するベルト６と、補助ポケット４とベルト６との間で延びる長尺物２０の部位が添接される添接部７とを備えている。しかも、添接部７は、長尺物２０が収まる凹状の溝７ａと、この溝７ａの両側に隣接する凸部７ｂ，７ｃとを有している。したがって、補助ポケット４とベルト６とによる長尺物２の保持状態が添接部７によって安定して、長尺物２０の納まりが良くなる。また、添接部７の凹状の溝７ａと凸部７ｂ，７ｃとによって、長尺物２０のグラ付き（ガタ付き）が規制されるとともに、長尺物２０の側方への突出が規制され、長尺物２０が障害物に引っ掛かったり傷付いたりすることを防止できる。
【００１６】
また、本実施形態において、添接部７は、ケース本体２から大きく突出しない比較的小さな厚み（しかし、長尺物を保持可能な凹状の溝７ａを形成できるだけの厚みを有する）で形成されているため、ケース本体２の外側面に沿って長尺物２０を保持しない時には携行の邪魔になることはない。また、添接部７は、ファスナや縫着等の手間がいらないため、大型のポケットに比べて生産コストが安い。また、添接部７は、合成樹脂による立体成形加工によって形成されているため、汚れがついても楽に落とせる。これは、補助ポケット４についても同様であり、チャランボや玉網の柄等を補助ポケット４に簡単にセットできる。
【００１７】
なお、本発明は、前述した実施形態に限定されず、その要旨を逸脱しない範囲で種々変形実施できることは言うまでもない。例えば、前述した実施形態では、凹状の溝７ａが添接部７の全長にわたって連続的に形成されているが、途中で複数に分断されていても良い。また、溝７ａが添接部７の全長にわたって形成されていなくても良い。また、添接部７は、上側のベルト６と下側の補助ポケット４との間にあれば良く、これらの間の略全長にわたって形成されている必要はない。また、添接部７の溝７ａの数も１つに限定されない。例えば、図５に示されるように、２つの溝７ａ，７ａ’が設けられても良い。この場合も、溝７ａ，７ａ’の両側には凸部７ｂ，７ｃ，７ｄが設けられる。したがって、２つの長尺物２０，２１を安定して保持できる。
【００１８】
【発明の効果】
以上説明したように、本発明の釣用携行具によれば、ポケットと緊締部材とによって外側面に保持される収納物が、これらのポケットと緊締部材との間に延びる添接部の凹状の溝と凸部とによって安定し、露出が少なくなることにより、グラ付いたり障害物に引っ掛かったり傷付いたりすることを防止できる。
【図面の簡単な説明】
【図１】本発明の一実施形態に係る釣用携行具の正面図である。
【図２】図１の釣用携行具の側面図である。
【図３】図１のＡ−Ａ線に沿う断面図である。
【図４】添接部に長尺物を添接させた状態における図１のＡ−Ａ線に沿う断面図である。
【図５】変形例に係る添接部の断面図である。
【符号の説明】
１…釣用携行具
２…本体
４…ポケット
６…ベルト（緊締部材）
７…添接部
７ａ，７ａ’…凹状の溝
７ｂ，７ｃ，７ｄ…凸部
２０…長尺物
【図１】
0003811620.tif 000002
【図２】
0003811620.tif 000003
【図３】
0003811620.tif 000004
【図４】
0003811620.tif 000005
【図５】
0003811620.tif 000006